(57)【特許請求の範囲】
【請求項１】
サッシ窓の室外側に雨戸枠を備え、この雨戸枠に開閉自在に雨戸を設け、この雨戸に当該雨戸上縁よりも上方に突出自在にロッドを設け、前記雨戸枠の上枠に雨戸の全閉時に突出させた前記ロッドを受ける受け部材を設け、この受け部材は前記上枠との係止部を有した金属製の係止部材と前記ロッドを受ける樹脂製の受け部とを備え、前記受け部材には雨戸倒れ防止部を有した金属製の雨戸支持部材を着脱自在に連結したことを特徴とする雨戸を備えた建具。
【請求項２】
サッシ窓の室外側に雨戸枠を備え、この雨戸枠に開閉自在に雨戸を設け、この雨戸に当該雨戸上縁よりも上方に突出自在にロッドを設け、前記雨戸枠の上枠に雨戸の全閉時に突出させた前記ロッドを受ける受け部材を設け、この受け部材は前記上枠との係止部を有した金属製の係止部材と前記ロッドを受ける樹脂製の受け部とを備え、前記受け部材には雨戸倒れ防止部を有し、かつ前記雨戸の全閉時に突出させた前記ロッドの上端部を受ける受け孔を有した金属製の雨戸支持部材を着脱自在に連結したことを特徴とする雨戸を備えた建具。
【発明の詳細な説明】
【０００１】
【発明の属する技術分野】
本発明は、雨戸を備えた建具に関する。
【０００２】
【従来の技術】
一般に、アルミニウム合金製の雨戸枠に開閉自在に雨戸を設け、この雨戸に雨戸ロック用のステンレス製のロッドを雨戸上縁よりも上方に突出自在に設け、上記雨戸枠の上枠に雨戸の全閉時に突出させた上記ロッドを受ける樹脂製の受け部材を金属製金具を用いて取り付けた建具が知られている。
【０００３】
この種のものでは、雨戸枠の上枠が断面略コ字形に形成され、開口を下に向けて配置されて、一対の側壁部が下方に延びて、この一対の側壁部に囲まれた溝内に雨戸上縁が収納されている。
【０００４】
【発明が解決しようとする課題】
上記従来の構成では、火災が発生した場合、上記樹脂製の受け部材が溶けてなくなり、アルミニウム合金製の一対の側壁部が熱によって側方に大きく曲がって変形するおそれがある。この事態が発生すると、雨戸が、雨戸上縁の支えを失って、例えば室外側に倒れるといった問題が発生する。
【０００５】
そこで、本発明の目的は、上述した従来の技術が有する課題を解消し、例えば、火災が発生して、一対の側壁部が熱によって側方に大きく曲がって変形した場合であっても、雨戸が雨戸枠に支えられて、当該雨戸が倒れることのない、雨戸を備えた建具を提供することにある。
【０００６】
【課題を解決するための手段】
請求項１記載の発明は、サッシ窓の室外側に雨戸枠を備え、この雨戸枠に開閉自在に雨戸を設け、この雨戸に当該雨戸上縁よりも上方に突出自在にロッドを設け、雨戸枠の上枠に雨戸の全閉時に突出させたロッドを受ける受け部材を設け、この受け部材は上枠との係止部を有した金属製の係止部材とロッドを受ける樹脂製の受け部とを備え、受け部材には雨戸倒れ防止部を有した金属製の雨戸支持部材を着脱自在に連結したことを特徴とするものである。
【０００７】
請求項２記載の発明は、サッシ窓の室外側に雨戸枠を備え、この雨戸枠に開閉自在に雨戸を設け、この雨戸に当該雨戸上縁よりも上方に突出自在にロッドを設け、雨戸枠の上枠に雨戸の全閉時に突出させたロッドを受ける受け部材を設け、この受け部材は上枠との係止部を有した金属製の係止部材とロッドを受ける樹脂製の受け部とを備え、受け部材には雨戸倒れ防止部を有し、かつ雨戸の全閉時に突出させたロッドの上端部を受ける受け孔を有した金属製の雨戸支持部材を着脱自在に連結したことを特徴とするものである。
【０００８】
これらの発明では、家屋に火災が発生した場合、樹脂製の受け部が溶けてなくなり、雨戸枠の上枠が熱によって側方に大きく曲がって変形したとしても、金属製の雨戸支持部材が溶けずに残る。この雨戸支持部材には雨戸倒れ防止部が形成されているので、雨戸が、雨戸倒れ防止部によって支えられ、雨戸が例えば室外側に倒れることはない。
【０００９】
【発明の実施の形態】
以下、本発明の一実施形態を添付図面に従って説明する。
【００１０】
図１において、この建具は、躯体に取り付けられたアルミニウム合金製のサッシ枠（雨戸枠）２と、このサッシ枠２に隣接配置された戸袋３とで構成されている。このサッシ枠２には、２枚の雨戸５が開閉自在に設けられている。そして、上記サッシ枠２の上枠２１には、所定間隔Ｌを設けて、雨戸５の枚数に対応した個数の受け部材７が設けられている。上記所定間隔Ｌは、雨戸５の幅寸法Ｗとほぼ等しく設定されている。そして、この雨戸５をサッシ枠２から脱着する場合には、当該雨戸５をずらして受け部材７間に位置させ、この位置においてけんどん式に取り外す。なお、所定間隔Ｌは現場あわせのため、所定間隔Ｌ＜幅寸法Ｗとなる場合がある。この場合、雨戸５を取り外す時、受け部材７の位置をずらした後、けんどん式に取り外す。
【００１１】
図２は、建具の縦断面図、図３は、建具の横断面図である。図２において、サッシ枠２は上枠２１と下枠２２とを有し、さらにサッシ枠２は、図３に示すように、左右一対の縦枠２３，２４を有し、これら枠材を四方枠組みして構成されている。上記上枠２１及び下枠２２はそれぞれアルミニウム押出形材であり、図２に示すように、下枠２２は、その開口を上に向けた断面略コ字状の下案内部２２Ａを備え、上枠２１は、その開口を下に向けた断面略コ字状の上案内部２１Ａを備えている。下案内部２２Ａの底部にはレール部材２７が突設され、このレール部材２７にはルーバー雨戸５の下縁に設けた戸車２８が案内されている。雨戸５の上縁５Ａは上枠２１の上案内部２１Ａに収納されている。
【００１２】
この上案内部２１Ａは、上記のように断面略コ字状であって、その開口を下に向けて配置され、一対の側壁部２１ａ，２１ｂを有している。この一対の側壁部２１ａ，２１ｂの各内面にはホール２９が形成され、各ホール２９には雨戸５に当接するモヘア３０が設けられている。
【００１３】
この実施形態では、図４に示すように、上案内部２１Ａの天部に、上記の受け部材７が取り付けられている。
【００１４】
この受け部材７は、樹脂製の受け部３２と、金属製プレート３３及び金属製ねじ３４からなる金属製の係止部材３５とを備えている。そして、この受け部材７は、樹脂製の受け部３２と金属製プレート３３とで、上案内部２１Ａのリブ２１ｃを挟んで、金属製ねじ３４を金属製プレート３３にねじ止めすることによって、上案内部２１Ａの天部に取り付けられている。
【００１５】
図５は、本実施形態の要部を示す。
【００１６】
この実施形態では、受け部材７に、図５ａに示すように、金属製の雨戸支持部材４１が着脱自在に連結される。この雨戸支持部材４１は、図５ｂに示すように、組み立てられ、上述したように、樹脂製の受け部３２と金属製プレート３３とで、上案内部２１Ａのリブ２１ｃ（図４）を挟んで、金属製ねじ３４を金属製プレート３３にねじ止めすることによって、受け部材７と共に、上案内部２１Ａの天部に取り付けられる。この雨戸支持部材４１はステンレス製のプレートを加工して形成したものであり、連結時に室外側に位置する側縁４１ａに、一体曲げ加工された雨戸倒れ防止部４３が形成され、この雨戸倒れ防止部４３には連結時の操作部４３ａが室内側に延びて一体成形されている。４１ｂは、後述するロッド５１の先端５２の受け孔である。
【００１７】
図１を参照して、戸袋３側の雨戸５の上縁５Ａには、雨戸ロック用のロッド５１が設けられている。このロッド５１は、図６ａに示すように、ロッドホルダ５２に支持され、このロッドホルダ５２は、図６ｂに示すように、想像線で示した雨戸５の上縁５Ａのリブ５３に係止されている。
【００１８】
ロッド５１の下端には操作部５４が一体的に設けられ、この操作部５４をつかんで押し上げると、ロッド５１の先端５１ａが、図７ａ及び図７ｂに示すように、雨戸５の上縁５Ａよりも上方に突出する。
【００１９】
この場合、ロッド５１とロッドホルダ５２間に掛け渡されたスプリング５５が、図６ａから図７ａの位置に変位する。
【００２０】
上記２枚の雨戸５が全閉にされ、しかも上記操作部５４が操作されて、ロッド５１の先端５１ａが、雨戸５の上縁５Ａよりも上方に突出すると、図１及び図５に示すように、その先端５１ａが、上述した受け部材７の樹脂製の受け部３２に受けられ、それ以後、雨戸５がロックされてその開閉が規制される。
【００２１】
また、図８に示すように、ロッド５１の先端５１ａが、雨戸５の上縁５Ａよりも上方に突出した場合、その先端５１ａが、金属製の雨戸支持部材４１の矩形状の受け孔４１ｂ（図５）に進入し、これによっても、それ以後における、雨戸５の開閉が規制される。
【００２２】
この実施形態では、本建具が取り付けられた家屋に火災が発生した場合、図８に示すように、上記樹脂製の受け部３２は溶けてなくなり、アルミニウム合金製の上枠２１の一対の側壁部２１ａ，２１ｂのうち、特に室外側に位置する側壁部２１ａが、点線で示すように、火災時の熱によって側方に大きく曲がって変形するおそれがある。
【００２３】
この事態が発生すると、雨戸５が、雨戸上縁５Ａの支えを失って、例えば室外側に倒れるといった問題が発生する。
【００２４】
本実施形態では、当該事態が発生しても、ステンレス製の雨戸支持部材４１が溶けずに残り、この雨戸支持部材４１には雨戸倒れ防止部４３が一体形成されているので、雨戸５が、雨戸倒れ防止部４３によって支えられ、従って、雨戸５が室外側に倒れることはない。なお、雨戸５の上縁と雨戸倒れ防止部４３の下縁とのかかり代の大きさは、少しでも存在すればよいが、このかかり代は、例えば３ｍｍ以上であることが望ましい。
【００２５】
本実施形態では、ステンレス製の雨戸支持部材４１が、受け部材７に対して着脱自在に連結されている。従って、この雨戸支持部材４１は、その必要に応じて受け部材７に対し取り付けることができる。
【００２６】
図９では、３枚の雨戸５を有した建具を示している。
【００２７】
この場合、両側の雨戸５に対応する受け部材７には、雨戸支持部材４１が連結され、中央の雨戸５に対応する受け部材７には、雨戸支持部材４１が連結されていない。仮に、火災によって上記事態が発生したとしても、中央の雨戸５は、両側の雨戸５の側縁部に支えられるので（例えば、図３）、中央の雨戸５の倒れ込みは考慮しなくてもよいからである。
【００２８】
このように、雨戸支持部材４１と受け部材７とを着脱自在に構成したので、図９に示す場合では、中央の雨戸５に対応する雨戸支持部材４１を省略することができ、両側と中央の受け部材７を兼用化することができ、従って、部品点数の減少、及びコストダウンが図れる。
【００２９】
以上、一実施形態に基づいて本発明を説明したが、本発明は、これに限定されるものでないことは明らかである。
【００３０】
【発明の効果】
この発明では、家屋に火災が発生した場合、樹脂製の受け部が溶けてなくなり、雨戸枠の上枠が熱によって側方に大きく曲がって変形したとしても、金属製の雨戸支持部材が溶けずに残る。この雨戸支持部材には雨戸倒れ防止部が形成されているので、雨戸が、雨戸倒れ防止部によって支えられ、雨戸が例えば室外側に倒れることはない。
【図面の簡単な説明】
【図１】本発明による建具を室内側から見た図である。
【図２】建具の縦断面図である。
【図３】建具の横断面図である。
【図４】雨戸枠の上枠を拡大して示す図である。
【図５】ａは本実施形態の要部を示す分解斜視図、ｂはその組み立て図である。
【図６】ａはロッドの正面図、ｂは同じく側面図である。
【図７】ａはロッドの正面図、ｂは同じく側面図である。
【図８】本実施形態の作用を説明する図である。
【図９】別の実施形態を示す図１相当図である。
【符号の説明】
２  サッシ枠（雨戸枠）
３  戸袋
５  雨戸
７  受け部材
２１  上枠
２１ａ，２１ｂ  側壁部
２２  下枠
３２  受け部
３３  金属製プレート
３４  金属製ねじ
３５  係止部材
４１  雨戸支持部材
４３  雨戸倒れ防止部
５１  ロッド
【図１】
0003602760.tif 000002
【図２】
0003602760.tif 000003
【図３】
0003602760.tif 000004
【図４】
0003602760.tif 000005
【図５】
0003602760.tif 000006
【図６】
0003602760.tif 000007
【図７】
0003602760.tif 000008
【図８】
0003602760.tif 000009
【図９】
0003602760.tif 000010